(57)【特許請求の範囲】
【請求項１】
かご床の隅部の一側を形成した一縁部の中央に配置された第１壁板と、
上記隅部の他側を形成した他縁部の中央に配置された第２壁板と、
上記隅部に配置され、上記かご床の一縁部側が上記第１壁板の上記隅部側に隣接するとともに、上記かご床の他縁部側が上記第２壁板の上記隅部側に隣接した第３壁板と
を備え、
上記第３壁板は、一体形成され、上記かご床の上記一縁部側が楔作用によって上記第１壁板の隅部側に嵌着されるとともに、上記かご床の上記他縁部側が楔作用によって上記第２壁板の隅部側に嵌着されたエレベーターかご室。
【請求項２】
上記第３壁板は、上記かご床の一縁部側と上記第１壁板の上記隅部側との間に粘着性物質が介装されるとともに、上記かご床の他縁部側と上記第２壁板の上記隅部側との間に粘着性物質が介装されたことを特徴とする請求項１記載のエレベーターかご室。
【発明の詳細な説明】
【０００１】
【発明の属する技術分野】
この発明は、壁板が立設されて複数枚が互いに隣接して配置されて構成されたエレベーターかご室に関する。
【０００２】
【従来の技術】
図１０〜図１３は、従来のエレベーターかご室を示す図で、図１０は横断平面図、図１１は図１０のＡ部拡大図、図１２は図１０のＢ部拡大図、図１３は図１０のＣ−Ｃ線断面拡大図である。図において、１はかご床、２はかご床１の前側に立設されて出入口３の縁部を構成する袖壁である。
【０００３】
４はそれぞれ壁板で、かご床１の縁部に立設されて互いに隣接して配置され、またかご床１の前寄りに配置された壁板４は、幅方向の一側が袖壁２に接して配置されている。５は壁板４の幅方向の縁部に形成された端面で、壁板４の縁部が裏面方向に屈折されて、その屈折先端側がさらに壁板４面の中心方向に屈折されて、横断面においてほぼコ字状に構成されている。
【０００４】
６は締結具で、図１１において壁板４の互いに対向した端面５の両方に挿通され、図１２においては一方の壁板４端面５及び隣接した他の壁板４の幅方向縁部に挿通されたボルト７及びボルト７の挿通端にねじ込まれたナット８によって構成されている。９は上下締結具で、かご床１又は天井板１０の縁部に挿通されて対向した壁板４の上端面又は下端面にねじ込まれたボルトによって構成されている。
【０００５】
従来のエレベーターかご室は上記のように構成され、かご床１から複数枚の壁板４が立設されて互いに隣接して配置される。そして、壁板４の幅方向の端面５を介して締結具６によって壁板４が相互に締結され、また上下締結具９によって上端面が天井板１０に、また下端面がかご床１に締結されて組立てられる。
【０００６】
【発明が解決しようとする課題】
上記のような従来のエレベーターかご室では、壁板４相互が締結具６によって締結されて組立てられる。このため、エレベーターの昇降路（図示しない）内の狭隘であって、作業員の手が届き難い場所で煩雑なねじ締め作業を行う必要がある。このため、多くの作業時間を要し、また平坦な端面５相互の対面箇所が締結される。したがって、端面５相互間から外光漏れが生じたり、気密性が損なわれたりするという問題点があった。
【０００７】
この発明は、かかる問題点を解消するためになされたものであり、壁板相互を簡易な作業によって結合でき、容易に組立てることができるエレベーターかご室を得ることを目的とする。
【０００８】
【課題を解決するための手段】
この発明に係るエレベーターかご室においては、かご床の隅部の一側を形成した一縁部の中央に配置された第１壁板と、上記隅部の他側を形成した他縁部の中央に配置された第２壁板と、上記隅部に配置され、上記かご床の一縁部側が上記第１壁板の上記隅部側に隣接するとともに、上記かご床の他縁部側が上記第２壁板の上記隅部側に隣接した第３壁板を備え、上記第３壁板は、一体形成され、上記かご床の上記一縁部側が楔作用によって上記第１壁板の隅部側に嵌着されるとともに、上記かご床の上記他縁部側が楔作用によって上記第２壁板の隅部側に嵌着される。
【００１０】
また、この発明に係るエレベーターかご室においては、第３壁板のかご床一縁部側と第１壁板の隅部側との間に粘着性物質が介装されるとともに、第３壁板のかご床他縁部側と第２壁板の隅部側との間に粘着性物質が介装される。
【００１１】
【発明の実施の形態】
実施の形態１．
図１〜図９は、この発明の実施の形態の一例を示す図で、図１は横断平面図、図２は図１のＤ部拡大図、図３は図１のＥ部拡大図、図４は図１のＦ−Ｆ線断面拡大図、図５は図２における壁板を分離して示す図、図６は図２における壁板相互の嵌着状況を説明する図、図７は図２における壁板相互の他の嵌着状況を説明する図、図８も図２における壁板相互の他の嵌着状況を説明する図、図９も図２における壁板相互の他の嵌着状況を説明する図である。
【００１２】
図において、１はかご床、１１はかご床１の前側に立設されて出入口３の縁部を構成する袖壁である。４はそれぞれ壁板、１２はそれぞれ隅部の壁板で、かご床１の縁部に立設されて互いに隣接して配置され、またかご床１の前寄りに配置された壁板４は幅方向の一側が袖壁１１に接して配置されている。
【００１３】
１３は壁板４、袖壁１１、隅部の壁板１２それぞれの幅方向の一方の縁部に形成された凹端面で、縁部が裏面方向に屈折されて、その屈折先端側がさらに壁板面の中心方向に屈折されて構成され、また端面幅の中心に設けられて長手が上下方向に配置された溝状凹所１４が設けられている。１５は溝状凹所１４の側壁であり、溝状凹所１４の底面幅よりも図５に示す開口部幅Ｇが幅広に形成されて、溝状凹所１４の横断面において楔状斜面を構成している。なお、図５に示すＨは溝状凹所１４の深さ、Ｉは溝状凹所１４の開口角度である。
【００１４】
１６は壁板４、袖壁１１、隅部の壁板１２それぞれの幅方向の他方の縁部に形成された凸端面で、縁部が裏面方向に屈折されて、その屈折先端側がさらに壁板面の中心方向に屈折されて構成され、また端面幅の中心に設けられて長手が上下方向に配置されて、溝状凹所１４に嵌着する凸条部１７が設けられている。１８は凸条部１７の側壁で、凸条部１７の先端幅よりも図５に示す基部幅Ｊが幅広に形成されて、凸条部１７の横断面において楔状斜面を構成している。
【００１５】
なお、図５に示すＫは凸条部１７の高さ、Ｌは凸条部１７の先細角度である。また、凸条部１７及び溝状凹所１４の各部の寸法は次に述べるように設定されている。すなわち、図５に示す符号において、高さＫ＜深さＨ、先細角度Ｌ＝開口角度Ｉ、基部幅Ｊ＝開口部幅Ｇに形成されている。９は上下締結具で、かご床１又は天井板１０の縁部に挿通されて対向した壁板４、袖壁１１、隅部の壁板１２の上端面又は下端面に装着されてねじ穴を形成する部品にねじ込まれたボルトによって構成されている。
【００１６】
上記のように構成されたエレベーターかご室において、次に述べるようにして壁板４等が立設されてかご室が組立てられる。すなわち、先ず一つの壁板４がかご室内の作業によってかご床１の縁部に立設される。そして、立設された壁板４の下端が上下締結具９によって締結される。次いで、立設された壁板４に隣接して他の壁板４、袖壁１１、隅部の壁板１２のいずれかがかご室内の作業によってかご床１の縁部に立設される。
【００１７】
すなわち、この状態において互いに隣接した壁板４等の凹端面１３及び凸端面１６が互いに対向して配置されて、溝状凹所１４に凸条部１７が楔作用によって嵌着される。これによって、互いに隣接した壁板４等の幅方向縁部が締結状態に連結される。そして、このように立設された壁板４に隣接して、さらに他の壁板４等を溝状凹所１４に凸条部１７を嵌着させる作業によって順次立設して接続する。そして、かご室の周壁を組立てた後に周壁の上端に天井板１０を載置し、天井板１０に上下締結具９を挿通して、それぞれの壁板４等の上端に天井板１０を締結する。
【００１８】
なお、壁板４等の端面における溝状凹所１４及び凸条部１７の両者の形状に製作誤差による寸法差が生じる。このため、上記両者を嵌着させた状態で上記両者が全面にわたって密着しない場合がある。しかし、このようなときに図６に示す壁表面側のア点及び壁表裏側のイ点、図７に示す壁表面側のウ点及び壁表裏側のエ点、図８に示す壁表面側のオ点及び壁表裏側のカ点並びに図９に示す壁表面側のキ点及び壁表裏側のク点が相互に接触することによって、壁板４等の幅方向縁部における所要の連結強度を得ることができる。
【００１９】
すなわち、図６〜図９に示す上記両者の嵌着状態によって上記両者の連結部に人がもたれ掛かったり、互いに隣接した壁板の一方のみが押圧されたりしても、連結箇所に異常が発生することはない。また、図６〜図９に示す上記両者の嵌着状態によってエレベーターの昇降時の振動のために上記両者が相対変位して振動音が発生することもない。
【００２０】
以上説明したように、壁板４等をかご室内の作業によってかご床１の縁部に立設し、次いで隣接して他の壁板４等が同様な作業によってかご床１の縁部に立設される。そして、互いに対向した凹端面１３及び凸端面１６における溝状凹所１４に凸条部１７が楔作用によって嵌着され、互いに隣接した壁板４等の幅方向縁部が締結状態に連結されてかご室の周壁が組立てられる。
【００２１】
これにより、壁板４の幅方向縁部の相互を、前述の図１１における締結具６によって締結する必要がなく、かご室内からの作業によって少ない労力により短時間に容易にかご室の周壁を組立てることができ、組立費用を低減することができる。また、溝状凹所１４に凸条部１７が嵌入するので、壁板４等の幅方向縁部の接続部から外光漏れが生じたり、気密性が損なわれたりする不具合を解消することができる。
【００２２】
なお、溝状凹所１４、凸条部１７の横断面形状を、円形、楕円形、三角形に準じた形状にした構成であっても、図１〜図９の実施の形態における作用を得ることができる。
また、壁板４等とは別体に製作された溝状凹所１４、凸条部１７が凹端面１３、凸端面１６に装備された構成であっても、図１〜図９の実施の形態における作用を得ることができる。
【００２３】
また、溝状凹所１４、凸条部１７が壁板４等の幅方向縁部の上下方向に間欠的に設けられた構成であっても、図１〜図９の実施の形態における作用を得ることができる。
また、溝状凹所１４、凸条部１７による接続構成を、天井板１０と壁板４との間等のパネル体相互の接続箇所に容易に応用することができる。このような構成であっても、図１〜図９の実施の形態における作用を得ることができる。
【００２４】
実施の形態２．
図１〜図９の実施の形態を応用して容易に次に述べるようにかご室を構成することができる。すなわち、互いに隣接した壁板４等の互いに対向した凹端面１３及び凸端面１６における溝状凹所１４及び凸条部１７の相互間に合成樹脂製の粘着性物質を介装する。これによって、互いに隣接した壁板４等の幅方向縁部相互の連結を一層強固に、また確実にすることができて幅方向縁部の接続部から外光漏れを防ぎ、また気密性を向上することができる。
【００２５】
【発明の効果】
この発明は以上説明したように、かご床の隅部の一側を形成した一縁部の中央に配置された第１壁板と、上記隅部の他側を形成した他縁部の中央に配置された第２壁板と、上記隅部に配置され、上記かご床の一縁部側が上記第１壁板の上記隅部側に隣接するとともに、上記かご床の他縁部側が上記第２壁板の上記隅部側に隣接した第３壁板を備え、上記第３壁板は、一体形成され、上記かご床の上記一縁部側が楔作用によって上記第１壁板の隅部側に嵌着されるとともに、上記かご床の上記他縁部側が楔作用によって上記第２壁板の隅部側に嵌着されたものである。
【００２６】
これによって、壁板をかご室内の作業によってかご床の縁部に立設し、次いで隣接して他の壁板を同様な作業によってかご床の縁部に立設する。そして、互いに対向した凹端面及び凸端面における溝状凹所に凸条部が嵌着され、互いに隣接した壁板の幅方向縁部が締結状態に連結されてかご室の周壁が組立てられる。これにより、壁板の幅方向縁部の相互を締結具によって締結する必要がなく、かご室内からの作業によって少ない労力により短時間に容易にかご室の周壁を組立てることができ、組立費用を低減する効果がある。
また、溝状凹所に凸条部が嵌入するので、壁板の幅方向縁部の接続部から外光漏れが生じたり、気密性が損なわれたりする不具合を解消する効果がある。
【００２９】
また、この発明に係るエレベーターかご室においては、第３壁板のかご床一縁部側と第１壁板の隅部側との間に粘着性物質が介装されるとともに、第３壁板のかご床他縁部側と第２壁板の隅部側との間に粘着性物質が介装される。
【００３０】
これによって、壁板をかご室内の作業によってかご床の縁部に立設し、次いで隣接して他の壁板を同様な作業によってかご床の縁部に立設する。そして、互いに対向した凹端面及び凸端面における溝状凹所及び凸条部の相互間に粘着性物質が介装されて、溝状凹所に凸条部が嵌着され互いに隣接した壁板の幅方向縁部が締結状態に連結されてかご室の周壁が組立てられる。これにより、壁板の幅方向縁部の相互を締結具によって締結する必要がなく、かご室内からの作業によって少ない労力により短時間に容易にかご室の周壁を組立てることができ、組立費用を低減する効果がある。
また、溝状凹所及び凸条部の相互間に粘着性物質が介装され、溝状凹所に凸条部が嵌入するので、壁板の幅方向縁部の接続部から外光漏れが生じたり、気密性が損なわれたりする不具合を一層有効に防止する効果がある。
【図面の簡単な説明】
【図１】  この発明の実施の形態１を示す横断平面図。
【図２】  図１のＤ部拡大図。
【図３】  図１のＥ部拡大図。
【図４】  図１のＦ−Ｆ線断面拡大図。
【図５】  図２における壁板を分離して示す図。
【図６】  図２における壁板相互の嵌着状況を説明する図。
【図７】  図２における壁板相互の他の嵌着状況を説明する図。
【図８】  図２における壁板相互の他の嵌着状況を説明する図。
【図９】  図２における壁板相互の他の嵌着状況を説明する図。
【図１０】  従来のエレベーターかご室を示す横断平面図。
【図１１】  図１０のＡ部拡大図。
【図１２】  図１０のＢ部拡大図。
【図１３】  図１０のＣ−Ｃ線断面拡大図。
【符号の説明】
４  壁板、１２  隅部の壁板、１３  凹端面、１４  溝状凹所、１６  凸端面、１７  凸条部。
【図１】
0004502452.tif 000002
【図２】
0004502452.tif 000003
【図３】
0004502452.tif 000004
【図４】
0004502452.tif 000005
【図５】
0004502452.tif 000006
【図６】
0004502452.tif 000007
【図７】
0004502452.tif 000008
【図８】
0004502452.tif 000009
【図９】
0004502452.tif 000010
【図１０】
0004502452.tif 000011
【図１１】
0004502452.tif 000012
【図１２】
0004502452.tif 000013
【図１３】
0004502452.tif 000014